(57)【要約】      （修正有）【課題】発光部を直接設けることができない透光性部材において、発光部の光が透光性部材においてあたかも光っているように、光を反射させて透光性部材の外部に表示することができる画像表示装置を提供する。【解決手段】装置の前面に、画像を表示する矩形状の画像表示部２１と、この画像表示部を臨ませこの画像表示部の周囲を枠状に覆う覆い部材５０と、内側部分がこの覆い部材に覆われ、この覆い部材の外側部分がこの装置の後方が透視可能な後方透視可能部分とされた透明樹脂板２０とを有する画像表示装置において、所定の色の光を略前方に向けて反射し所定の状態を表示する光反射部４０と、光反射部に向けて進むこの所定の色の光を発光する発光部３０と、前方から見えないようにこの覆い部材で覆われた発光部と、光反射部で反射した後に生じる反射しなかった残りの光のもれを防止する光もれ防止部１７０とを備える。【選択図】図２
2007316653.tif 000002
【特許請求の範囲】
【請求項１】
装置の前面に、画像を表示する矩形状の画像表示部と、前記画像表示部を臨ませ前記画像表示部の周囲を枠状に覆う覆い部材と、内側部分が前記覆い部材に覆われ、前記覆い部材の外側部分が前記装置の後方が透視可能な後方透視可能部分とされた透明樹脂板とを有する画像表示装置において、
前記透明樹脂板の後方透視可能部分の背面の所定位置に設けられた所定の大きさの単一の凹形状からなる光反射部であって、所定の色の光を略前方に向けて反射し前記画像表示装置の所定の機能の所定の状態を表示する光反射部と、
前記透明樹脂板の内側部分の側面より入射し前記透明樹脂板内を前記光反射部に向けて進む前記所定の色の光を発光する発光部であって、前方から見えないように前記覆い部材で覆われた発光部と、
前記発光部が発光した光が前記光反射部で反射した後に生じる反射しなかった残りの光のもれを防止する光もれ防止部と
を備えることを特徴とする画像表示装置。
【発明の詳細な説明】
【技術分野】
【０００１】
本発明は、発光部から発光する光を、透光性部材の側面から入力してその光を光反射部により透光性部材の外部に表示することができる画像表示装置に関するものである。
【背景技術】
【０００２】
画像表示装置の一例としては、たとえばプラズマディスプレイパネル（ＰＤＰ）を有するプラズマディスプレイ画像表示装置が注目されている。この種の画像表示装置の前面板は透明になっており、この透明の前面板において、ある予め定めた機能を表示するための発光部を設けることが望まれている。たとえば緑色の発光を前面板で行うことにより、観察者に対して電源オン状態を表示することができる。
【発明の開示】
【発明が解決しようとする課題】
【０００３】
ところが、このような透明な前面板の内側に、発光部としてたとえば発光ダイオードを配置すると、その発光ダイオードが透明の前面板を通じて観察者から見えてしまう。発光ダイオードが透明の前面板から見えないようにするために、発光ダイオードに対応する前面板の部分に不透明のテープなどを貼ることも考えられるが、このようにすると、透明の前面板の一部分に不透明な部分が生じてしまい、電子機器の外観意匠上好ましくないという問題がある。
【０００４】
そこで本発明は上記課題を解消し、発光部を直接設けることができない透光性部材において、発光部の光が透光性部材においてあたかも光っているように、光を反射させて透光性部材の外部に表示することができる画像表示装置を提供することを目的としている。
【課題を解決するための手段】
【０００５】
本発明は、装置の前面に、画像を表示する矩形状の画像表示部と、この画像表示部を臨ませこの画像表示部の周囲を枠状に覆う覆い部材と、内側部分がこの覆い部材に覆われ、この覆い部材の外側部分が前記装置の後方が透視可能な後方透視可能部分とされた透明樹脂板とを有する画像表示装置において、この透明樹脂板の後方透視可能部分の背面の所定位置に設けられた所定の大きさの単一の凹形状からなる光反射部であって、所定の色の光を略前方に向けて反射しこの画像表示装置の所定の機能の所定の状態を表示する光反射部と、この透明樹脂板の内側部分の側面より入射しこの透明樹脂板内をこの光反射部に向けて進むこの所定の色の光を発光する発光部であって、前方から見えないようにこの覆い部材で覆われた発光部と、この発光部が発光した光がこの光反射部で反射した後に生じる反射しなかった残りの光のもれを防止する光もれ防止部とを備えることを特徴とする画像表示装置である。
【０００６】
本発明では、発光部からの発光する光は、平板状の透光性を有する透光性部材の側面から透光性部材内に入射する。この入射した光は、透光性部材の一方の面に形成されている光反射部により反射させて、この光を透光性部材の他方の面から外部に向けて出射して表示することができる。
これにより、透光性部材の裏側ではなく、透光性部材とは異なる部分の所に発光部を設けても、発光部からの光を透光性部材において反射させて、観察者は透光性部材の光反射部においてあたかも光が発生しているように見ることができる。この光の表示により、観察者はたとえばある種の機能を目視で確認することができる。
【発明の効果】
【０００７】
本発明によれば、発光部を直接設けることができない透光性部材において、発光部の光が透光性部材においてあたかも光っているように光を反射させて透光性部材の外部に表示することができる。
【発明を実施するための最良の形態】
【０００８】
以下、本発明の好適な実施の形態を添付図面に基づいて詳細に説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【０００９】
図１は本発明による画像表示装置の好ましい実施の形態を示している。
この画像表示装置１０は、一例としてプラズマディスプレイパネル（ＰＤＰ）を有するプラズマディスプレイ画像表示装置である。このプラズマディスプレイパネルは、たとえば２枚のガラスの間にヘリウムやネオンなどのガスを封入して、そこに電圧をかけることによって発光させる表示装置である。発光する原理は、蛍光燈と同じで、他の方式に比べてコントラストが高く、視野角が広いという特徴がある。
【００１０】
この画像表示装置１０は、たとえば大型の壁掛けテレビなどとして用いることができる。
画像表示装置１０は、筐体１２、透明の前面ガラス１４、スピーカ収納部１６，１８、そして光反射表示装置２００を有している。スピーカ収納部１６，１８は、前面ガラス１４の左側と右側の位置に設けられている。筐体１２は、このスピーカ収納部１６、前面ガラス１４およびスピーカ収納部１８を保持している。
筐体１２の凹部にはプラズマディスプレイパネル表示部や駆動回路などが収容されている。
【００１１】
図２は、図１の画像表示装置１０の光反射表示装置２００のＥーＥ線における断面構造例を示している。図３は図２の光反射表示装置２００の付近を拡大して示している。
【００１２】
図２に示すように、前面ガラス１４の内側には、前面板２０がほぼ密接して配列されている。前面ガラス１４は、透光性を有する部材、たとえば透明な平板状のガラス板である。内側の前面板２０は、外側の前面ガラス１４とほぼ密接して平行に重ねて配置されている。内側の前面板２０は、平板状の透光性を有する透光性部材であり、内側の前面板２０はたとえば透明樹脂板である。
【００１３】
この透光性部材である前面板２０の材質としては、透明な樹脂材料であるたとえばポリカーボネート樹脂（ＰＣ）、ポリメチルメタクリレート（ＰＭＭＡ）、ＭＳ樹脂（メチルメタクリレート・スチレンモノマー共重合体）、ポリプロピレン（ＰＰ）、透明ＡＢＳ（アクリロニトリルブタジエンスチレン）樹脂、透明ポリスチレン（ＰＳ）、透明エポキシ樹脂などのいずれかを採用することができるが、これに限るものではない。
【００１４】
内側の前面板２０と前面ガラス１４の付近には、スピーカ収納部１８が設けられている。また前面ガラス１４の内側であって筐体１２の中には、プラズマディスプレイ部分２１が設けられている。
平板状の透光性を有する内側の前面板２０は、上述した透明樹脂板以外にガラス板であっても良い。本発明の各実施の形態における平板状の透光性を有する透光性部材は、透明であっても良いし半透明であっても良いし、あるいは着色されたものであっても勿論構わない。
【００１５】
図２に示すように、前面板２０の内側の端部２０Ｃは筐体１２の端部１２Ｃに連結されている。
図２と図３に示すように前面ガラス１４の内面２３側には、発光部３０が設けられている。この発光部３０は、たとえば発光ダイオード（ＬＥＤ）を採用することができる。しかも発光部３０は、前面板２０の側面（端面ともいう）３１に対面するようにして配置されている。すなわち発光部３０の光軸方向は、側面３１に向っており、発光部３０の光軸方向は前面板２０の面方向と平行である。発光部３０が発光する光Ｌは、前面板２０の側面３１から入射して前面板２０の中を光反射部４０に向けて通る。
【００１６】
発光部３０は、発光部ホルダ３３により保持されている。発光部ホルダ３３はたとえばプラズマディスプレイ部分２１側に固定されていて、穴３４を有している。この発光部ホルダ３３の穴３４は、発光部３０が発生する光を、後で説明する前面板２０の光反射部４０側に向わせるために光の指向性を発揮させるためのものである。従って発光部ホルダ３３は光指向性発揮部材に相当する。
この穴３４は、前面板２０の側面３１に対面して設けられているたとえば円形状の穴である。穴３４の直径は、発光部ホルダ３３の直径とほぼ同じかあるいはやや小さいものである。
【００１７】
図３と図４に示す光反射部４０は、前面板２０の内面４１側に形成された凹部である。この光反射部４０は、ほぼ半球形状の凹部である。この光反射部４０の半球形状の面には、梨地のような光分散部４６が形成されている。このように光分散部４６を設けることにより、図３に示すように発光部３０の光Ｌが、前面板２０の側面３１から入射して光反射部４０に到着して光反射部４０において反射する場合に、光Ｌを分散させながら前面板２０および前面ガラス１４から観察者Ｍ側へ光Ｌ１を出射し表示させることができる。
【００１８】
図３に示すように、前面ガラス１４の内面２３には、観察者Ｍから発光部３０の存在が見えないようにするために、覆い部材としての黒色塗装部５０が形成されている。この黒色塗装部５０に代えて、覆い部材は、印刷で形成しても良いし、粘着テープを貼り付けても良いしあるいは別の金属あるいはプラスチックの部材を貼り付けても良い。
このようにすることで、透明の前面ガラス１４と透明の前面板２０を採用しても、図４（Ａ）に示すように観察者Ｍは黒色塗装部５０により邪魔されて発光部３０を直接見ることが無いので、外観意匠上好ましいものとなる。
【００１９】
図２乃至図４の実施の形態では、内側の前面板２０に設けられている光反射部４０は、半球形状で断面で見て半円形状であり、たとえばこのような凹部状の光反射部４０は、いわゆるディンプル（えくぼ）状のものである。
上述した実施の形態では、黒色塗装部５０が外側の前面ガラス１４の内面２３側に形成されている。しかしこれに限らず前面ガラス１４の外面４８側に形成しても勿論構わない。
【００２０】
図３において、光反射部４０で反射した光Ｌは、図４（Ｂ）に示すように、観察者には略半円形状の光Ｌが、あたかも透明の前面板２０と前面ガラス１４に発生しているように目視できる。
図３の発光部３０が発生する光の色はたとえば緑色、青色、赤色などである。
たとえば発光部３０の光の色が緑色であると、光Ｌ１は図１に示す画像表示装置の電源をオンした状態を観察者Ｍに対して機能表示することができる。
【００２１】
発光部３０の光の色を青色に選択した場合には、光Ｌ１はたとえば図１に示す画像表示装置の消画モード（音のみを出しており画像表示を中断している状態）を観察者Ｍに対して機能表示することができる。
【００２２】
発光部３０の光の色を赤色に選択した場合には、光Ｌ１は図１に示す画像表示装置がスタンバイ状態であることを機能表示することができる。
図２乃至図４の実施の形態において、凹部である光反射部４０の形成の深さは、任意に設定することができる。また光反射部４０の大きさも任意に設定することができる。
【００２３】
図２に示すように、前面板２０と前面ガラス１４の部分１５０は、スピーカ収納部１８の光もれ防止部１７０により挟まれた状態で覆いかくすようにして保持されている。この部分１５０と発光部３０の間の位置に光反射部４０が設けられている。発光部３０の光Ｌが光反射部４０で反射して光Ｌ１となった後に、反射しきれずに残った光Ｌ３が前面板２０の面方向に沿って部分１５０の側面３９に達する。
【００２４】
光もれ防止部１７０はこの光Ｌ３が前面板２０の側面３９からもれないようにして、観察者Ｍが光Ｌ３のもれが見えないようにすることで、光反射部４０で反射した光Ｌ１の邪魔にならないようにして外観意匠的に優れたものとするのである。
【００２５】
次に、図５を参照して、本発明の別の実施の形態について説明する。
ただし図５の実施の形態において、図２乃至図４の実施の形態と同様の箇所には同じ符号を記してその説明を用いることにする。
図５の実施の形態が、図２乃至図４の実施の形態と異なるのは、光反射部４０の形状である。この光反射部４０は、内側の前面板２０の内面４１側に形成された凹部であるが、光反射部４０の断面形状は、円弧形状を有している。この円弧形状の部分５５には、梨地のような光分散部４６が形成されている。
【００２６】
この断面で見て円弧形状の部分５５のより詳しい形状は、図６（Ａ）と図６（Ｂ）に示す。断面で見て円弧形状の部分５５は、断面で見て垂直部分５７につながっている。この垂直部分５７は、前面板２０の内面４１の平面に対して垂直に形成されている。したがって図６（Ｂ）に示すように光反射部４０は、円筒面の一部を有する凹部である。
【００２７】
この断面で見て円弧形状の部分５５の形成方法としては、たとえば次のようなものがある。図６（Ｃ）に示すように、前面板２０の厚みＷの半分の位置に点Ｐ１をとり、この点Ｐ１から内面４１側に４５°の線Ｌ１を引く。この直線Ｌ１は点Ｐ１と点Ｐ２を結んだ直線である。点Ｐ１からさらに１５°傾けた位置に線Ｌ２を引くと共に、点Ｐ２から１５°傾いた位置に線Ｌ３を引く。この線Ｌ２とＬ３に沿った曲線を引くことにより円弧形状の部分５５を形成することができる。
図５（Ｂ）に示すように、観察者Ｍは長方形状の光Ｌ１をあたかもこの位置に発光部の光があるように目視できる。
【００２８】
次に、図７を参照して、本発明のさらに別の実施の形態について説明する。
図７の実施の形態において、図４の実施の形態と同じ箇所には同じ符号を記してその説明を用いることにする。
【００２９】
図７の実施の形態が図４の実施の形態と異なるのは、光反射部４０の形状である。この光反射部４０の形状は、傾斜面部１００を有している。この傾斜面部１００には好ましくは光分散部４６が形成されている。この傾斜面部１００は、前面板２０の内面４１側から形成された凹部の底に形成されている。傾斜面部１００の傾斜角度は、内面４１の平面に対してたとえば４５°である。
図７（Ｂ）に示すように、観察者Ｍは長方形状の光Ｌ１をあたかもこの位置に発光部の光があるように目視できる。
【００３０】
図８乃至図１０は、それぞれ本発明のさらに別の実施の形態を示している。
図８の実施の形態が図４の実施の形態と異なるのは、前面板が２枚ではなく１枚になっている。従って１枚の前面板２０が用いられており、この前面板２０の内面４１側には、凹部状の光反射部４０が形成されている。この光反射部４０の形状は、半球形状であり、光分散部４６が形成されている。
【００３１】
黒色塗装部５０は、たとえば前面板２０の外面４９側に形成されている。
図９の実施の形態が図８の実施の形態と異なるのは、光反射部４０の形状である。図９の光反射部４０の形状は図５に示す光反射部４０の形状と同じである。
図１０の実施の形態では、図８と図９の実施の形態と同様に、１枚の前面板２０のみが使用されており、光反射部４０の形状が異なる。図１０に示す光反射部４０の形状は、図７に示す光反射部４０の形状と同じである。
【００３２】
上述したように、図１に示す画像表示装置１０は、光反射表示装置２００を有しており、この光反射表示装置２００は、前面板２０の光反射部４０と発光部３０により構成されている。発光部３０は前面板２０の側面（端面ともいう）３１側に対面して配置されている。
【００３３】
発光部３０の発生する光Ｌは、光反射部４０で反射することにより、前面板２０の外側にいる観察者Ｍは、この反射した光をあたかもこの位置にある発光部が発光している光として宙に浮いているように観察することができる。つまり、このように入射された光Ｌは、光反射部４０で反射すると共に光分散部により分散されるので、観察者Ｍが、その反射した光Ｌ１を見ると、あたかも発光部３０が直接光っているかのように見ることができるのである。発光部３０の光の色を選択することにより、図２に示すように反射した光Ｌ１の光の色を変えることができる。反射した光Ｌ１の色を緑色、赤色、青色あるいはその他の色に設定することにより、その色の光Ｌは、画像表示装置において予め定められている機能を、観察者に表示することができるのである。
【００３４】
光反射部４０の形状は、上述したようなディンプル（えくぼ）状あるいは傾斜面状あるいは円筒面の一部を有する形状に限らず、他の形状を勿論採用することができる。また光分散部４６は、たとえば梨地を光反射部４０の断面半円形状、断面傾斜面状、断面円弧形状部分に形成するのであるが、梨地形状以外のものであっても勿論構わない。
図示例では、たとえば図２に示すように光反射部４０は、前面板２０の内面４１側から形成しているが、これに限らず前面板２０の外面側から形成しても勿論構わない。
【００３５】
透光性部材である前面板２０は、透明ガラス板であっても良いし透明樹脂板であっても良い。またこのような透光性部材は、透明の無着色の材質であっても良いし、必要に応じて色をつけた材質であっても勿論構わない。
【００３６】
上述画像表示装置は、図示例ではプラズマディスプレイパネルを例に挙げている。しかしこれに限らず画像表示装置は、透明もしくは透光性を有する前面板を必要とする各種の機器、たとえば陰極線管を有する表示装置、デジタルカメラ、デジタルビデオカメラ、携帯情報端末、携帯電話機、ゲーム機、その他の種類の機器をも勿論含むものであり、特に限定されるものではない。
【図面の簡単な説明】
【００３７】
【図１】本発明の画像表示装置を有する電子機器の一例を示す斜視図。
【図２】図１の画像表示装置におけるＥーＥ線における断面構造例を示す図。
【図３】図２の発光部と光反射部などを含む領域を示す拡大図。
【図４】図２の発光部、光反射部などを含む部分を示す断面図と正面図。
【図５】本発明の画像表示装置の別の実施の形態を示す図。
【図６】図５の画像表示装置における光反射部の形状例を説明する図。
【図７】本発明の画像表示装置の別の実施の形態を示す図。
【図８】本発明の画像表示装置のさらに別の実施の形態を示す図。
【図９】本発明の画像表示装置のさらに別の実施の形態を示す図。
【図１０】本発明の画像表示装置のさらに別の実施の形態を示す図。
【符号の説明】
【００３８】
１０・・・電子機器、１４・・・前面ガラス、２０・・・前面板（透光性部材）、３０・・・発光部、３１・・・前面板の側面、３３・・・発光部ホルダ（光指向性発揮部材）、４０・・・光反射部、４６・・・光分散部、５０・・・黒色塗装部（覆い部材）、１７０・・・光もれ防止部、２００・・・光反射表示装置、Ｌ・・・発光部の光、Ｌ１・・・反射した光、Ｍ・・・観察者
【図１】
2007316653.tif 000003
【図２】
2007316653.tif 000004
【図３】
2007316653.tif 000005
【図４】
2007316653.tif 000006
【図５】
2007316653.tif 000007
【図６】
2007316653.tif 000008
【図７】
2007316653.tif 000009
【図８】
2007316653.tif 000010
【図９】
2007316653.tif 000011
【図１０】
2007316653.tif 000012